(57)【要約】【課題】貨物の輸出を希望する者が必要なときに該非判定書をプリントアウトすることができる該非判定書の管理システムを提供する。【解決手段】輸出する貨物に関して規制品であるか否かを確認するための該非判定書の管理システムであって、貨物を製造したメーカーにおいて、貨物毎に輸出貿易管理令および外国為替令に従って該非判定書を作成するとともに、作成した該非判定書の情報を送信する端末機器と、端末機器から送信された該非判定書の情報を蓄積するサーバーと、貨物の輸出を希望する者において、サーバーにアクセスする端末機器と、からなり、貨物の輸出を希望する者が端末機器からサーバーにアクセスし、輸出を希望する貨物を特定することにより、サーバーに蓄積された該当する貨物の該非判定書をプリントアウトすることができる。【選択図】図１
2015026275.tif 000002
【特許請求の範囲】
【請求項１】
輸出する貨物に関して規制品であるか否かを確認するための該非判定書の管理システムであって、
貨物を製造したメーカーにおいて、該貨物毎に輸出貿易管理令および外国為替令に従って該非判定書を作成するとともに、作成した該非判定書の情報を送信する端末機器と、
該端末機器から送信された該非判定書の情報を蓄積するサーバーと、
貨物の輸出を希望する者において、該サーバーにアクセスする端末機器と、からなり、
貨物の輸出を希望する者が該端末機器から該サーバーにアクセスし、輸出を希望する貨物を特定することにより、該サーバーに蓄積された該当する貨物の該非判定書をプリントアウトすることができる、
ことを特徴とする該非判定書の管理システム。
【発明の詳細な説明】
【技術分野】
【０００１】
本発明は、輸出品に関して規制品であるか否かを確認するための該非判定書の管理システムに関する。
【背景技術】
【０００２】
半導体デバイス製造工程においては、略円板形状である半導体ウエーハの表面に格子状に配列されたストリートと呼ばれる分割予定ラインによって複数の領域が区画され、この区画された領域にＩＣ、ＬＳＩ等のデバイスを形成する。そして、半導体ウエーハをストリートに沿って切断することによりデバイスが形成された領域を分割して個々のデバイスを製造している。このような半導体デバイスを製造する工場においては、半導体ウエーハの裏面を研削して所定の厚みに形成する研削装置、半導体ウエーハをストリートに沿って切断する切削装置やレーザー加工装置等の加工装置を配置して、半導体ウエーハにそれぞれの加工を施している。
【０００３】
また、研削装置、切削装置、レーザー加工装置等の加工装置を使用するユーザーにおいては、生産工場が存在する諸外国に加工装置を日本から輸出（輸送）する際に、輸出貿易管理令および外国為替令によって該当する貨物（製品または商品）であるか否かを確認するための該非判定書を税関に提出しなければならない。
【０００４】
このような該非判定書を作成するには加工装置の詳細な技術的知識が必要であり、従って、加工装置の詳細な構成について十分な知識を有する加工装置のメーカーに輸出貿易管理令および外国為替令に従った該非判定書の作成を求めることが多い。
【発明の概要】
【発明が解決しようとする課題】
【０００５】
而して、該非判定書の作成を依頼されたメーカーにおいては、加工装置の構成に基づく機能が輸出貿易管理令および外国為替令に該当しているか否かを判定して該非判定書を作成しなければならず、多くの時間を要するという問題がある。
また、該非判定書の作成を依頼したユーザーにおいては、該非判定書が出来上がるまで加工装置の輸出ができないという問題がある。
更に、メーカー自身が加工装置を輸出する場合にも、その都度該非判定書を作成しなければならず、多くの時間を要するという問題がある。
【０００６】
本発明は上記事実に鑑みてなされたものであり、その主たる技術課題は、貨物の輸出を希望する者が必要なときに該非判定書をプリントアウトすることができる該非判定書の管理システムを提供することにある。
【課題を解決するための手段】
【０００７】
上記主たる技術課題を解決するため、本発明によれば、輸出する貨物に関して規制品であるか否かを確認するための該非判定書の管理システムであって、
貨物を製造したメーカーにおいて、該貨物毎に輸出貿易管理令および外国為替令に従って該非判定書を作成するとともに、作成した該非判定書の情報を送信する端末機器と、
該端末機器から送信された該非判定書の情報を蓄積するサーバーと、
貨物の輸出を希望する者において、該サーバーにアクセスする端末機器と、からなり、
貨物の輸出を希望する者が該端末機器から該サーバーにアクセスし、輸出を希望する貨物を特定することにより、該サーバーに蓄積された該当する貨物の該非判定書をプリントアウトすることができる、
ことを特徴とする該非判定書の管理システムが提供される。
【発明の効果】
【０００８】
本発明による該非判定書の管理システムは、貨物を製造したメーカーにおいて、貨物毎に輸出貿易管理令および外国為替令に従って該非判定書を作成するとともに、端末機器から回線を介して設定されたサーバーに送信することにより、サーバーにメーカーが製品を製造して販売する商品の該非判定書を蓄積する。そして、貨物の輸出を希望する者が端末機器からサーバーにアクセスし、輸出を希望する貨物を特定することにより、該非判定書をプリントアウトすることができるので、メーカーにおいてはユーザーから依頼される都度該非判定書を作成する手間が省け、ユーザーにおいては貨物（製品または商品）の輸出を円滑に行うことができ生産性が向上する。また、日本で使用された中古品を諸外国に輸出する商社においても容易に該非判定書を入手することができ、輸出手続きの効率が向上する。更に、メーカー自身が貨物（製品または商品）を輸出する場合にも、その都度該非判定書を作成することなく該非判定書をプリントアウトすることができる。
【図面の簡単な説明】
【０００９】
【図１】本発明による該非判定書の管理システムのブロック構成図。
【図２】図１に示す該非判定書の管理システムにおいて作成される該非判定書を示す図。
【発明を実施するための形態】
【００１０】
以下、本発明による該非判定書の管理システムについて、添付図面を参照して更に詳細に説明する。
【００１１】
図１には、本発明による該非判定書の管理システムのブロック構成図が示されている。
図１に示す該非判定書の管理システムは、製品または商品を製造したメーカーが該非判定書を作成し、ユーザー等の貨物の輸出を希望する者が貨物（製品または商品）を輸出する際に該非判定書を利用するための管理システムである。即ち、メーカーは、A商品、B商品、C商品・・・・・が製造され販売する際に、当該貨物（製品または商品）の該非判定書を作成する。この該非判定書は、図２に示すように管理番号、商品名、輸出貿易管理令別１  １-１５項および外国為替令別表１-１５項に規定された判定項目に対する判定結果が記載される。なお、該非判定書には、輸出貿易管理令別１  １-１５項および外国為替令別表１-１５項に規定された様式に従って作成された項目別対比表（該非判定用）が含まれている。
【００１２】
以上のようにして該非判定書を作成したならば、メーカーはその都度、該非判定書を端末機器２から回線を介して設定されたサーバー３に送信する。従って、サーバー３には、メーカーが製品または商品を製造して販売する際にその都度作成された該非判定書が蓄積される。
【００１３】
一方、ユーザー等の貨物の輸出を希望する者は、上記サーバー３にアクセスする端末機器４を備えている。なお、貨物の輸出を希望する者がメーカー自身である場合には、メーカー側では端末機器２を利用することができる。
そして、ユーザー等の貨物の輸出を希望する者は、端末機器４からサーバー３にアクセスし、輸出を希望する貨物（製品または商品）の商品名を特定する。この結果サーバー３は、ユーザー等の貨物の輸出を希望する者によって特定された商品の該非判定書を選定して、該非判定書の情報をユーザーの端末機器４に送る。ユーザーの端末機器４は、サーバー３から送られた情報に基づいて、プリンター５に該非判定書とともに項目別対比表（該非判定用）をプリントアウトする。
【００１４】
以上のように、該非判定書の管理システムにおいては、製品または商品を製造したメーカーにおいて、製品または商品（貨物）毎に輸出貿易管理令および外国為替令に従って該非判定書を作成するとともに、端末機器２から回線を介して設定されたサーバー３に送信することにより、サーバー３にメーカーが製造した製品または商品の該非判定書を蓄積する。そして、ユーザー等の貨物の輸出を希望する者が端末機器４からサーバー３にアクセスし、輸出を希望する貨物（製品または商品）の商品名を特定することにより、該非判定書をプリントアウトすることができるので、メーカーにおいてはユーザーから依頼される都度該非判定書を作成する手間が省け、ユーザーにおいては貨物（製品または商品）の輸出を円滑に行うことができ生産性が向上する。また、日本で使用された中古品を諸外国に輸出する商社においても容易に該非判定書および項目別対比表（該非判定用）を入手することができ、輸出手続きの効率が向上する。更に、メーカー自身が貨物（製品または商品）を輸出する場合にも、その都度該非判定書を作成することなく該非判定書をプリントアウトすることができる。
【符号の説明】
【００１５】
２：端末機器
３：サーバー
４：端末機器
【図１】
2015026275.tif 000003
【図２】
2015026275.tif 000004